(57)【要約】【課題】転送制御カード切替に伴うデータ欠損を抑え、迅速且つ効率的に復旧可能な手段を提供する。【解決手段】中継システムはそれぞれ処理可能な最大処理量に対して2/3の処理量に制限されている起動中のデータ転送カード201〜203にて上位システム1及び配下システム3間でのデータ転送制御を行い、起動中のデータ転送カード203が使用不可となった場合、使用不可となったカード203にて制御を行っていたデータ転送経路を、残りの起動中カード201〜202へ1/3ずつ均等に割り振る事で、データ欠損を抑え迅速にデータ転送経路を復旧する。起動中カード201〜202がカード203のデータ転送を肩代わりしている間に、予備カード200を動作可能な状態に立ち上げ、起動中カード201〜202で肩代わりしていたカード203のデータ転送処理能力を予備カード200へ振り分ける。【選択図】図２
2008022073.tif 000002
【特許請求の範囲】
【請求項１】
システムとしてデータ転送可能な帯域を分担してそれぞれデータ転送制御処理を実行する複数枚の起動中カードを備えたデータ伝送システムのカード切替方法であって、
前記複数枚のカードが全て起動しているときに各カードが分担する前記データ転送制御処理量を、各カードの処理可能な最大処理量よりも少ない処理量に制限するとともに、前記起動中のカードのいずれかのカードが制御不可となったとき、該制御不可となったカードが処理中のデータを、該制御不可となったカード以外の前記起動中カードに振り替えることを特徴とするデータ伝送システムのカード切替方法。
【請求項２】
前記複数枚のカードが全て起動しているときに各カードが分担する処理量により前記データ転送可能な帯域をほぼカバーするように前記各カードの処理量を制限することを特徴とする請求項１に記載のデータ伝送システムのカード切替方法。
【請求項３】
前記制御不可となったカードによって処理中のデータを、該制御不可となったカード以外の前記起動中カードに均等に振り替えたときに、該振り替えられた起動中カードの処理量が前記各カードの処理可能な最大処理量を超えないように、前記各起動中のカードの処理量を制限することを特徴とする請求項１または２に記載のデータ伝送システムのカード切替方法。
【請求項４】
制御不可となったカードが発生したときに予備カードを起動し、該予備カードに転送経路が確立した後、前記制御不可となったカードのデータ転送処理能力を該予備カードへ振り分けるとともに、前記振り替えられた起動中カードの処理量を前記制限された処理量に戻すことを特徴とする請求項１〜３のいずれか１項に記載のデータ伝送システムのカード切替方法。
【請求項５】
システムとしてデータ転送可能な帯域を分担してそれぞれデータ転送制御処理を実行する複数枚の起動中カードを備えたデータ伝送システムのカード切替方式であって、
前記複数枚のカードが全て起動しているときに各カードが分担する前記データ転送制御処理量を、各カードの処理可能な最大処理量よりも少ない処理量に制限する処理量制限手段と、前記起動中のカードのいずれかのカードが制御不可となったとき、該制御不可となったカードが処理中のデータを、該制御不可となったカード以外の前記起動中カードに振り替えて処理させるカード処理振り替え手段を備えていることを特徴とするデータ伝送システムのカード切替方式。
【請求項６】
前記処理量制限手段は、前記複数枚のカードが全て起動しているときに各カードが分担する処理量により前記データ転送可能な帯域をほぼカバーするように前記各カードの処理量を制限する機能を有していることを特徴とする請求項５に記載のデータ伝送システムのカード切替方式。
【請求項７】
前記処理量制限手段は、前記制御不可となったカードによって処理中のデータが該制御不可となったカード以外の前記起動中カードに均等に振り替えられたときに、該振り替えられた起動中カードの処理量が前記各カードの処理可能な最大処理量を超えないように、前記各起動中のカードの処理量を制限する機能を有していることを特徴とする請求項５または６に記載のデータ伝送システムのカード切替方式。
【請求項８】
前記起動中カードと同等の処理能力を有する予備カードを備え、前記制御不可カードが発生したときに前記予備カードを起動する手段と、該予備カードに転送経路を確立する手段と、該予備カードの転送経路が確立した後、前記制御不可カードのデータ転送処理能力を該予備カードへ振り分けるとともに、前記振り替えられた起動中カードの処理量を前記制限された処理量に戻す手段を有していることを特徴とする請求項５〜７のいずれか１項に記載のデータ伝送システムのカード切替方式。
【発明の詳細な説明】
【技術分野】
【０００１】
本発明は、データ転送システム内で運用中のデータ転送カードが使用不可となった場合の復旧技術に関する。
【背景技術】
【０００２】
上位システムから配下システム（或いはその逆）へデータを転送するデータ転送装置等においては、データ転送のために現用と予備のユニット或いはカードが備えられており、運用中のユニット或いはカードの故障などによる切替要因が発生した場合には予備のユニット或いはカードを起動し、運用中に異常が発生したユニット或いはカードで転送されていたデータを、予備のユニット或いはカードに切り替えて転送することにより、運用中のユニット或いはカードに異常が起きてもデータの転送に支障を来たさないようにしている（特許文献１〜３等参照）。
【０００３】
図１は、このような現用・予備切替方式が適用されているデータ転送システムの例を示す概略図であり、Ｗ−ＣＤＭＡシステムの交換機であるＲＮＣ（無線ネットワーク制御装置）に適用した場合の例を示している。
【０００４】
このデータ転送システムは、上位システム１、中継システム２、および配下システム３からなり、中継システム２には、上位システム１から配下システム３へのデータ転送、および配下システム３から上位システム１へのデータ転送を行うための中継システム内制御カード２０が備えられている。この中継システム内制御カード２０には、それぞれデータ転送制御を実行している複数の起動中カード２０１〜２０Ｎと、起動中カード２０１〜２０Ｎのいずれかのカードが故障した場合に起動され、該故障したカードで実行されていた転送制御を、故障したカードに替わって実行する予備カード２００が備えられている。
【０００５】
図３は、中継システム内制御カード２０における従来の現用・予備切替方式のイメージを示す概略図であり、中継システム内に４枚の起動中制御カードと１枚の予備カードを備えた場合の例を示している。
【０００６】
通常動作時には中継システム内制御カード２０は、図３（ａ）に示すように、４枚の起動中カード２０１〜２０４により、この中継システム２でデータ転送可能な所望の帯域をカバーしてデータ転送制御を行っている。その他に起動中カードと同等の機能を有する予備カード２００が１枚あるいは複数枚搭載された構成となっている。
【０００７】
この状態で動作中に、図３（ｂ）に示すように、起動中カード２０３が使用不可能となった場合、システムとして使用不可状態が検知され、予備カード２００がデータ転送用カードとして起動される。そして図３（ｃ）に示すように、予備カード２００がカード２０３により転送されていたデータの転送制御を引き継ぐことによって、装置としての帯域を一定に保つように制御される。
【０００８】
【特許文献１】特開平９−７４４２２号公報
【特許文献２】特開平１１−３３１３７４号公報
【特許文献３】特開２００４−２６０２６７号公報
【発明の開示】
【発明が解決しようとする課題】
【０００９】
上記従来技術においては、起動中カードが使用不可能となった場合に、該使用不可能となったカードにより転送されていたデータの転送制御を予備カードが引き継ぐために、予備カードが起動するまで待機し、予備カードが起動された後、使用不可能となったカードで制御していた経路を予備カードに再設定する必要がある。そのため予備カードへの切替処理に時間がかかるという問題がある。
【００１０】
特に、Ｗ−ＣＤＭＡシステム交換機では他交換機システムと比較すると高速・大容量なデータ送受信を要求されている為、システムの短時間の障害でもその時間内に失う情報量は膨大なものとなることがあり、そのため、装置内カードが使用不可となった場合の早期な復旧が要求される。
【００１１】
本発明の目的は、上記問題点に鑑み、伝送装置内の起動中カードのトラブル発生に対して、カード切替に伴うデータ欠損を抑え、迅速且つ効率的に復旧可能な新規の手段を提供することにある。
【課題を解決するための手段】
【００１２】
本発明のデータ伝送システムにおけるカード切替方法は、システムとしてデータ転送可能な帯域を分担してそれぞれデータ転送制御処理を実行する複数枚の起動中の各カードが分担する前記データ転送制御処理量を、各カードの処理可能な最大処理量よりも少ない処理量に制限するとともに、前記起動中のカードのいずれかのカードが制御不可となったとき、該制御不可となったカードが処理中のデータを、該制御不可となったカード以外の前記起動中カードに振り替えることを特徴としている。
【００１３】
その際、前記複数枚のカードが全て起動しているときに各カードが分担する処理量により前記データ転送可能な帯域をほぼカバーするように前記各カードの処理量を制限することが好ましい。
【００１４】
また、前記制御不可となったカードによって処理中のデータを、該制御不可となったカード以外の前記起動中カードに均等に振り替えたときに、該振り替えられた起動中カードにおけるトータルの処理量が前記各カードの処理可能な最大処理量を超えないように、前記各起動中のカードの処理量を制限することにより、前記制御不可となったカードが処理中のすべてのデータを迅速に処理することが可能になる。
【００１５】
さらに、制御不可となったカードが発生したときに予備カードを起動し、該予備カードに転送経路が確立した後、前記制御不可となったカードのデータ転送処理能力を該予備カードへ振り分けるとともに、前記振り替えられた起動中カードの処理量を前記制限された処理量に戻すことを特徴としている。
【００１６】
また本発明のデータ伝送システムにおけるカード切替方式は、システムとしてデータ転送可能な帯域を分担してそれぞれデータ転送制御処理を実行する複数枚の起動中カードが分担する前記データ転送制御処理量を、各カードの処理可能な最大処理量よりも少ない処理量に制限する処理量制限手段と、前記起動中のカードのいずれかのカードが制御不可となったとき、該制御不可となったカードが処理中のデータを、該制御不可となったカード以外の前記起動中カードに振り替えて処理させるカード処理振り替え手段を備えていることを特徴としている。
【００１７】
また、前記処理量制限手段は、前記複数枚のカードが全て起動しているときに各カードが分担する処理量により前記データ転送可能な帯域をほぼカバーするように前記各カードの処理量を制限する機能を有する構成とすることができる。
【００１８】
また、前記処理量制限手段は、前記制御不可となったカードによって処理中のデータが該制御不可となったカード以外の前記起動中カードに均等に振り替えられたときに、該振り替えられた各起動中カードにおけるトータルの処理量が前記各カードの処理可能な最大処理量を超えないように、前記各起動中のカードの処理量を制限する。
【００１９】
さらに、前記起動中カードと同等の処理能力を有する予備カードを備え、前記制御不可カードが発生したときに前記予備カードを起動する手段と、該予備カードに転送経路を確立する手段と、該予備カードの転送経路が確立した後、前記制御不可カードのデータ転送処理能力を該予備カードへ振り分けるとともに、前記振り替えられた起動中カードの処理量を前記制限された処理量に戻す手段を有していることを特徴としている。
【発明の効果】
【００２０】
本発明によれば、データ転送装置内に搭載された起動中のデータ転送カードが使用不可となった場合、該使用不可となったカードで転送制御されていたデータ経路を、既に起動中の他のカードへそのデータ導通経路を割り振ることにより実行させるので、予備のカードを起動させて切替処理を開始させるための時間が不要となり、カード切替時にデータ欠損を抑えて迅速に復旧させることが可能となる。
【発明を実施するための最良の形態】
【００２１】
図１は、本発明を適用可能な現用・予備切替方式を有するデータ転送システムの例を示す概略図であり、Ｗ−ＣＤＭＡシステムの交換機であるＲＮＣ（無線ネットワーク制御装置）に適用した場合の例を示している。
【００２２】
このデータ転送システムの全体構成は、上記背景技術で説明したように従来から知られているものであって、上位システム１、中継システム２、および配下システム３からなり、中継システム２には、上位システム１から配下システム３へのデータ転送、および配下システム３から上位システム１へのデータ転送を行うための中継システム内制御カード２０が備えられ、このカードでのデータ制御により、上位システム１から配下システム３への、あるいはその逆方向のデータ転送制御を行っている。
【００２３】
この中継システム内制御カード２０には、それぞれデータ転送制御を実行している複数の起動中カード２０１〜２０Ｎと、起動中カード２０１〜２０Ｎのいずれかのカードが故障した場合に起動され、該故障したカードで実行されていた転送制御を、該故障したカードに替わって実行する予備カード２００が備えられている。
【００２４】
図２は、本発明の実施形態を示す、データ転送システム内データ転送カード使用不可時の切替動作の概略図である。なお図２では、中継システム内に３枚の起動中制御カード２０１〜２０３と、１枚の予備カード２００を備えた場合の例を示している。以下、図２を参照して本実施形態の動作について説明する。
【００２５】
通常動作時には、図２（ａ）に示すように、中継システムは起動中のデータ転送カード２０１〜２０３にて上位システム１及び配下システム３間でのデータ転送制御を行っており、これらのデータ転送カード２０１〜２０３で処理される分のデータ転送可能な帯域を有しているものとする。ただし、本実施形態では、各データ転送カード２０１〜２０３の通常時の動作処理量は、各カードで処理可能な最大処理量よりも一定量少ない処理量に制限されている。例えば図２の例の場合、起動中のデータ転送カード２０１〜２０３は、各カードで処理可能な最大処理量に対して２/３以下の処理量となるように設定されている。
【００２６】
この状態において、起動中のデータ転送カード２０３が使用不可となった場合、システムとして使用不可状態が検知され、図２（ｂ）に示すように、使用不可となったデータ転送カード２０３にて制御していたデータ転送経路を他の起動中であるデータ転送カード２０１〜２０２へ振り替える制御を行う。即ち、制御不可となったデータ転送カード２０３へ送信中のデータを他の起動中カード２０１〜２０２へ送信先を振り替え、データ導通を継続させる。
【００２７】
例えば、各起動中カード２０１〜２０３の通常動作時の処理量が、それぞれ処理可能な最大処理量に対して２/３の処理量に制限設定されているとすると、使用不可となったカード２０３にて制御を行っていたデータ転送経路を、残りの起動中カード２０１〜２０２へ１／３ずつ均等に割り振る事で、カード２０１〜２０２を処理可能な最大処理量（１００％）で動作させることによって、制御不可となったデータ転送カード２０３により処理していたデータ転送経路を起動中カード２０１〜２０２で肩代わりさせることができる。
【００２８】
このような構成とすれば、制御不可となったデータ転送カード２０３の経路全てを予備カード２００へ振り分ける場合に比べて、予備カードの起動及び転送経路確立に要する時間を待つ必要なく使用不可となったデータ転送カード２０３にて制御していたデータ転送経路を確保することができるので、データ欠損を抑え迅速にデータ転送経路を復旧することが可能となる。
【００２９】
また、制御不可となったデータ転送カード２０３のデータ転送経路を他カード２０１〜２０２へ振り分ける際には、データの重要度により経路確立の優先度を決めて復旧させ、優先度の低いデータについてはその後の再送で救済するようにして、優先度の高いデータを迅速にかつ欠損を生ずることなく転送するように制御することもできる。
【００３０】
その後、起動中カード２０１〜２０２がカード２０３のデータ転送を肩代わりしている間に、予備カード２００を動作可能な状態に立ち上げる。そして予備カード２００の起動及び転送経路が確立した後、図２（ｃ）に示すように、起動中カード２０１〜２０２で肩代わりしていたカード２０３のデータ転送処理能力を予備カード２００へ振り分けることにより、起動中カード２０１〜２０２の処理量を、処理可能な最大処理量の２/３の処理量に戻す。
【００３１】
その際、接続中データに関しては、既に起動中のカード２０１〜２０２に対して、経路を割り当てる事とするが、新規に接続要求があったデータに関しては、予備カード２００が起動した後、優先的に予備カード２００へ接続する事で負荷を分散する事により、過渡的なカード切替制御をスムーズに実施することができる。
【００３２】
このように本実施形態によれば、制御不可状態のカードからのデータ引継ぎを起動中のカードに一旦肩代わりさせ、制御不可状態カードが保持していたデータ導通経路の確保を行う為の予備カードの起動および転送経路確立後に経路等の引継ぎを行うので、制御不可状態のカードからのデータ引継ぎから、再転送開始までの時間的ロスを最小限とすることができ、かつ制御不可状態のカードが発生しても、データ導通経路を一定に確保することができる。
【００３３】
なお、上記実施例では、Ｗ−ＣＤＭＡシステムの交換機であるＲＮＣ（無線ネットワーク制御装置）に適用した場合の例を示しているが、本発明はこの実施例に限定されるものではなく、中継装置以外である上位システム、配下システム内にあるデータ転送カードの切替制御、あるいは交換機装置以外でのデータ転送カードの切替制御に対しても適用可能である。
【図面の簡単な説明】
【００３４】
【図１】本発明が適用可能な現用・予備切替方式を有するデータ転送システムの例を示す概略図である。
【図２】本発明の実施形態を示すデータ転送システム内データ転送カード使用不可時の切替動作の概略図である。
【図３】従来の現用・予備切替方式における中継システム内制御カードの切替動作を示す概略図である。
【符号の説明】
【００３５】
１  上位システム
２  中継システム
３  配下システム
２０  中継システム内制御カード
２０１、２０２・・・２０Ｎ  起動中カード
２００  予備カード
【図１】
2008022073.tif 000003
【図２】
2008022073.tif 000004
【図３】
2008022073.tif 000005